(57)【特許請求の範囲】
【請求項１】
建物の壁に埋設され、建物の窓に連結されたワイヤーを巻回したドラムを内蔵した操作箱と、
この操作箱に対して押圧可能に設け、押圧操作により前記ドラムから前記ワイヤーを繰り出して前記窓を開放するための操作部材と、
前記操作箱に対して設けられ前記ドラムを回転して前記ワイヤーを巻き取ることにより前記窓を閉鎖するためのハンドルと、
クランクレバーと電動機の回転軸に嵌着されたカムとを備え、火災などの非常時には、前記電動機への通電により前記カムを所定だけ回転させて前記クランクレバーにより前記ドラムのロックを強制的に解除し、前記ドラムを前記ワイヤーの繰り出し方向に回転許容して前記窓を開放する自動開放装置とを備えてなる高窓開閉操作箱装置。
【請求項２】
請求項１に記載の高窓開閉操作箱装置において、前記自動開放装置はスイッチ手段を備え、該スイッチ手段により前記カムの回転により前記クランクレバーを所定だけ回転させるとともに、電源スイッチに対する前記電動機への通電復帰を行うようになっていることを特徴とする高窓開閉操作箱装置。
【請求項３】
請求項２に記載の高窓開閉操作箱装置において、前記スイッチ手段はリミットスイッチからなることを特徴とする高窓開閉操作箱装置。
【請求項４】
請求項１ないし請求項３に記載の高窓開閉操作箱装置において、前記操作部材は押しボタンであることを特徴とする高窓開閉操作箱装置。
【発明の詳細な説明】
【０００１】
【発明の属する技術分野】
本発明は、非常時には遠隔的操作により操作部材を強制的に押圧してワイヤーを繰り出し、窓を開放するための自動開放装置を備えた高窓開閉操作箱装置に関する。
【０００２】
【従来の技術】
例えば、家屋の高窓をワイヤーを用いて開閉する高窓開閉操作箱装置にあっては、通常は建物の内壁部に埋め込まれ、通常時には操作部材としての押しボタンの操作によりワイヤーを繰り出して窓を開放している。また、ハンドル操作により操作箱に内蔵されたドラムにワイヤーを巻き取らせて窓を閉鎖するようにしている。
このような手動操作の窓開閉に加えて、火災などの非常時に窓を開放して排煙の促進に対処するために中央管理室または、煙感知器と電気的に連動する自動開放装置を備えている。
この自動開放装置には、従来よりソレノイドを適用し、通電により生ずる電磁力に基づき押しボタンを強制的に押圧して窓を開放するものである。
【０００３】
【発明が解決しようとする課題】
ところが、このソレノイドを適用したものでは、必要な出力を確保するためには全体的に大型化せざるを得ず、コンパクト性に欠けるという不利益がある。
また、ソレノイドは一旦本体に装着してしまうと、着脱が困難であるため、手動操作用のものに自動開放装置を取り付けるだけで済まず、手動操作用のものとの汎用化が図れず、勢いコスト的に不利になるという問題がある。
本発明は、これらの事情を背景になされたもので、その目的は、全体的に小型化を図ることができるとともに、自動開放装置は着脱が可能であるため手動操作用のものに自動開放装置を取り付けるだけで済み、手動操作用のものの汎用化が図れ、コスト的に有利な高窓開閉操作箱装置を提供することにある。
【０００４】
【課題を解決するための手段】
この発明は、ワイヤーにより建物の窓を開閉する高窓開閉操作箱装置に係り、建物の壁に埋設され、建物の窓に連結されたワイヤーを巻回したドラムを内蔵した操作箱と、この操作箱に対して押圧可能に設け、押圧操作により前記ドラムから前記ワイヤーを繰り出して前記窓を開放するための操作部材と、前記操作箱に対して設けられ前記ドラムを回転して前記ワイヤーを巻き取ることにより前記窓を閉鎖するためのハンドルと、クランクレバーと電動機の回転軸に嵌着されたカムとを備え、火災などの非常時には、前記電動機への通電により前記カムを所定だけ回転させて前記クランクレバーにより前記ドラムのロックを強制的に解除し、前記ドラムを前記ワイヤーの繰り出し方向に回転許容して前記窓を開放する自動開放装置とを備えた構成を採用している。
さらに、本発明の高窓開閉操作箱装置においては、前記自動開放装置はスイッチ手段を備え、該スイッチ手段により前記カムの回転により前記クランクレバーを所定だけ回転させるとともに、電源スイッチに対する前記電動機への通電復帰を行うようになっていることを特徴とする。
また、本発明の高窓開閉操作箱装置において、前記スイッチ手段はリミットスイッチからなることを特徴とする。
加えて、本発明の高窓開閉操作箱装置においては、前記操作部材は押しボタンであることを特徴とする。
【０００５】
【発明の作用および効果】
（１）本発明の高窓開閉操作箱装置によれば、通常時には操作部材としての押しボタンの操作によりワイヤーを繰り出して窓を開放し、ハンドルの手動操作により操作箱に内蔵されたドラムにワイヤーを巻き取らせて窓を閉鎖することができる。
（２）このような手動操作の窓開閉に加えて、自動開放装置を設けたので、火災などの非常時に窓を開放して排煙の促進に対処することができる。
（３）この場合の自動開放装置は電動機、カムおよびスイッチにより構成したので、ユニット化が可能になり、手動操作のものに着脱することができる。このため、自動開放装置を手動操作のものに装着するだけで済み、手動操作のものの汎用化が図られ、コスト的に有利になる。
（４）また、電動機はギヤヘッドの使用で減速比を大きくすれば、電動機自体の小型化が可能で、操作箱と化粧板との僅かな隙間に配置でき、全体のコンパクト化が図られる。
（５）さらに、自動開放装置においては、クランクレバーとカムの使用により電動機の左右いずれの回転も有効なため、電動機の回転方向に関係なく、窓の開放といった所期の機能を果たすことができて便利である。
【０００６】
【発明の実施の形態】
以下に各図を参照して本発明の一実施例を説明する。
まず、本発明の高窓開閉操作箱装置１を示す図１〜図４において、化粧板２は、建物の壁部に埋設される操作箱３の開口部３ａを螺子部材４、４により塞ぐものである。この化粧板２は縦長な矩形状をなし、外表面には上下に指向する浅目の窪み部５が形成されている。この窪み部５の上縁部および下縁部には、円形状の透孔６、７（明確には図１０参照）が順に形成されるとともに、螺子部材４、４を通すための横長な取付孔４ａ、４ａが設けられている。また、化粧板２には、透孔６の直下の位置に操作部材としての押しボタン８を収容する矩形孔９が形成されている。
【０００７】
１０は、化粧板２に取り付けられた一方向クラッチ機構で、これは建物の窓（図示せず）を開放時（ドラム３４のロックが外れた状態）にドラム３４とハンドル１３の共回りを防止する。かかる一方向クラッチ機構１０は、レバージョイント１１、クラッチ軸２４、ローラー２８、六角部２７ａおよび六角軸２７を順に介して最終的には操作箱３内に配設されたドラム３４の支軸３５に連結されている。
【０００８】
１６はハンドル１３に形成された矩形孔で、これの位置は押しボタン８に対応している。また、１７はハンドル１３の裏面に形成された凹状のキャッチプレート部で、これは化粧板２の窪み部５にねじ込まれたマグネットキャッチ１８に対応している。
【０００９】
さて、矩形孔９内に位置する押しボタン８は、コイルスプリング１９によって常に化粧板２の裏面方向に付勢される状態にプレート２０により螺子止めされ、もって押しボタン８を化粧板２に押し込み移動可能に取り付けている。この押しボタン８の底部からは操作子２１が延設され、この操作子２１はコイルスプリング１９の中心部を通過し、プレート２０に形成された中央孔２２から突き出ている。２３は弾性体からなるプッシャーで、これはプレート２０により支部２３ｃを介して化粧板２の裏面に固定され、上端部は透孔６に沿い、且つグリップ１５に対応する半円弧状の保持部２３ａが形成されている。また、プッシャー２３の保持部２３ａとは反対側には、突部２３ｂが押しボタン８の外周縁部に対向するように形成されている。
【００１０】
そして、ハンドル１３の不使用時にあっては、とりわけ図１および図９に示すように、ハンドル１３は、ピン１４を中心に上方に回動して窪み部５に収納された不使用位置にあり、グリップ１５を透孔６を介してプッシャー２３の保持部２３ａに弾性的に係合させることにより化粧板２に保持されている。この状態では、矩形孔９内に押しボタン８を位置させ、マグネットキャッチ１８のキャッチプレート部１７に対する磁気吸引力でハンドル１３を化粧板２に補助的に保持している。
【００１１】
３６は自動開放装置で、これはとりわけ図４および図５に示すように操作箱３と化粧板２との間に生じた僅かな隙間Ｇに配置されている。この自動開放装置３６は、火災などの非常時に窓を開放して排煙の促進に対処するために中央管理室または、煙感知器（図示せず）などと電気的に連動している。
【００１２】
かかる自動開放装置３６は、図６および図７に示すように、操作箱３内にジグザグ状をなすブラケット３８を介して取り付けられた小型電動機３７と、これの回転軸３９に嵌着された円盤状の偏心カム４０を備えている。この偏心カム４０の直下にはリミットスイッチＬＳ３の接触子４２が対応している。また、このブラケット３８には、くの字形のクランクレバー４３が支軸４３ｃにより回動可能に枢持され、その下端部４３ａは偏心カム４０に対応し、上端部はフック部４３ｂを形成している。このフック部４３ｂは、押しボタン８の右側に位置する押圧子３６ａの外側面部に左右方向に設けた係合溝４４内に係合している（図５）。４５はカバーで、これは図８に示すように偏心カム４０、リミットスイッチＬＳ３およびクランクレバー４３を保護するようにブラケット３８に取り付けられ、もって全体をユニット化している。
ＬＳ１、ＬＳ２は他のリミットスイッチで、これらは図５および図８に示すように二段重ね状をなし、自動開放装置３６に隣接状態に設置されている。これらリミットスイッチＬＳ１、ＬＳ２は、後述するように図１３の結線図に基づいて作動する。
【００１３】
上記構成において、窓を開放するにあたっては、図２、図３および図９の状態で押しボタン８を押圧する。すると、操作子２１を介して押圧子３６ａが作動され、ロック機構３７ａを外してドラム３４に対するロックを解除する。これにより、ドラム３４が図１に矢印Ａで示すように左方向に回転しワイヤー３８ａを繰り出し、窓が下方回動により開放される。
この場合、押しボタン８の押圧操作に伴い、押しボタン８の外周縁部が図２に示すプッシャー２３の突部２３ｂを押し、支部２３ｃを中心にしてプッシャー２３を弾性変形により同図に矢印Ｍで示す方向に僅かに回動させる。この場合、プッシャー２３の保持部２３ａがハンドル１３のグリップ１５に摩擦接触状態に弾接しているため、プッシャー２３の回動力により保持部２３ａが段差部１５ａに係止するまで、ハンドル１３が化粧板２から外方に離間する。これにより、ハンドル１３と化粧板２との間に手掛口（図示せず）が形成される。
【００１４】
なお、ハンドル１３を化粧板２から離間させて手掛口を形成するに伴い、一方向クラッチ機構１０のレバージョイント１１が、図１０および図１１に矢印Ｃで示すように透孔７から僅かに外部に突き出る（リフトアップ）。これにより、ハンドル１３を図１０および図１１に矢印Ｄで示すように右方向に回転する際、化粧板２に干渉しないようにしている。
【００１５】
そして、窓を開放するにあたっては、上記の如く形成された手掛口を利用してハンドル１３の上端部を図２、図３および図９の不使用位置から外方に引く。すると、ハンドル１３のグリップ１５がプッシャー２３の保持部２３ａから外れ、図１０および図１１に矢印Ｂで示すようにピン１４を中心に下方に回動して使用位置を占める。
【００１６】
ついで、ハンドル１３を図１０および図１１の矢印Ｄ方向、即ち時計回り方向に回転すると、図２に示す一方向クラッチ機構１０のレバージョイント１１、クラッチ軸２４、ローラー２８、六角部２７ａ、六角軸２７および支軸３５を順に介してドラム３４を同方向に回転させる。これにより、窓枠に連結されたワイヤー３８ａがドラム３４に巻き取られ、窓が上方に回動されて閉鎖される。これに伴い、押圧子３６ａとともに押しボタン８が元の位置に復帰してロック機構３７ａが作動し、ドラム３４に対するロックを働かせ、次の操作を待機する。
【００１７】
次に、火災などの非常時に排煙を促進するため、あるいは中央管理室による監視の必要性から窓を一挙に開放する場合がある。この場合には、煙感知器から発生する出力信号あるいは、中央管理室などからの指令により小型電動機３７の電源スイッチ（図示せず）が閉じられる。これによりリミットスイッチ（スイッチ手段）ＬＳ２およびＬＳ３は、図１３に実線で示す位置にあるため自動開放装置３６の小型電動機３７が通電状態となる。
【００１８】
これに伴い、偏心カム４０が回転軸３９を介して回転し、クランクレバー４３が矢印Ｋで示すように支軸４３ｃの回りに反時計方向に回転して図１２（ａ）から図１２（ｂ）に示す位置を占める。これにより、リミットスイッチＬＳ３の接触子４２に対する押圧状態が開放されリミットスイッチＬＳ３が図１３に二点鎖線で示すようにオンになる。これと同時に、クランクレバー４３のフック部４３ｂおよび係合溝４４を介して押圧子３６ａが押圧される。これにより、押しボタン８を押圧した場合と同様に作動し、前述の窓の開放操作と同様にして窓が開放される。これと同時に、ロック機構３７ａの爪ベース（図示せず）の回動によりリミットスイッチＬＳ１およびリミットスイッチＬＳ２が図１３の二点鎖線で示すようにオン状態になる。リミットスイッチＬＳ１のオンにより、パイロットランプ（図示せず）などが点灯され、窓の「開放」が表示される。
【００１９】
また、リミットスイッチＬＳ２がオンになった時には、小型電動機３７により偏心カム４０は半回転後には、図１２（ｂ）に示すように接触子４２が開放されてリミットスイッチＬＳ３が図１３の二点鎖線で示す如くオン状態になっているため、小型電動機３７への通電状態が維持される。さらに、偏心カム４０が半回転すると、接触子４２が押圧されてリミットスイッチＬＳ３が図１３の実線で示す如くオフ状態になる。このため図１２（ｃ）に示すように小型電動機３７への通電が断たれ、偏心カム４０の回転が止む。
ついで、ワイヤー３８ａを巻き取り可能にすると、押圧子３６ａとともに、クランクレバー４３が図１２（ｄ）で示すように元の位置に復帰すると同時に、小型電動機３７に対する電源スイッチが復帰し、リミットスイッチＬＳ１およびリミットスイッチＬＳ２が図１３に実線で示す元の位置に戻る。
【００２０】
【実施例に基づく効果】
（ａ）本発明の高窓開閉操作箱装置１によれば、通常時には操作部材としての押しボタン８の操作によりワイヤー３８ａをドラム３４から繰り出して窓を開放し、ハンドル１３の操作により操作箱３に内蔵されたドラム３４にワイヤー３８ａを巻き取らせて窓を閉鎖できる。
（ｂ）このような手動操作の窓開閉に加えて、自動開放装置３６を設けたので、火災などの非常時に窓を開放して排煙の促進に対処できる。
（ｃ）この場合、自動開放装置３６は小型電動機３７、偏心カム４０およびリミットスイッチＬＳ３で構成し、ユニット化が可能なため、手動操作のものに着脱可能となり、手動操作のものに装着するだけで済み、手動操作のものの汎用化が図られ、コスト的に有利になる。
（ｄ）また、小型電動機３７はギヤヘッドの使用で減速比を大きくすれば、電動機自体の小型化が可能で、操作箱３と化粧板２との僅かな隙間Ｇに配置でき、全体のコンパクト化が図られる。
（ｅ）さらに、自動開放装置３６においては、クランクレバー４３と偏心カム４０の使用により小型電動機３７の左右いずれの方向でも有効であるため、小型電動機３７の回転方向に関係なく所期の機能を果たすことができて便利である。
【００２１】
なお、本実施例では、化粧板２や操作箱３を矩形状に形成したが、これらの幾何学的形状は楕円、円形、菱形、三角形、瓢箪形、多角形など必要に応じて任意に変更できる。また、化粧板２や操作箱３の材料は、プラスチックは勿論、ステンレススチールや軟鋼などの金属であってもよい。
【００２２】
また、化粧板２に形成した透孔６、７は、円形形状のものばかりでなくグリップ１５の幾何学形状に応じて三角形、四角形あるいは多角形に形成してもよい。
【００２３】
さらに、本発明に係る高窓開閉操作箱装置は、家屋などの建物ばかりではなく、百貨店、店舗、温室、穀物倉庫をはじめ旅客列車、船舶など窓を遠隔的操作により開閉するものに適用できる。
【図面の簡単な説明】
【図１】高窓開閉操作箱装置の正面図である。
【図２】化粧板を取り外した状態で示す操作箱の縦断面図である。
【図３】自動開放装置とともに示す高窓開閉操作箱装置の正面図である。
【図４】化粧板を装着した状態で示す操作箱の縦断面図である。
【図５】自動開放装置の装着時の状態を示す全体的な分解斜視図である。
【図６】自動開放装置の分解斜視図である。
【図７】自動開放装置の斜視図である。
【図８】自動開放装置を装着した状態を示す斜視図である。
【図９】操作箱を壁部に埋設した状態でハンドルの不使用時のときの化粧板を示す斜視図である。
【図１０】操作箱を壁部に埋設した状態でハンドルの使用時のときの化粧板を示す斜視図である。
【図１１】ハンドルの使用時のときの高窓開閉操作箱装置を示す分解斜視図である。
【図１２】（ａ）〜（ｄ）は作用説明のために示す自動開放装置の概略図である。
【図１３】リミットスイッチＬＳ１〜ＬＳ３の作用を示すための結線図である。
【符号の説明】
１  高窓開閉操作箱装置
２  化粧板
３  操作箱
３ａ  開口部
４  螺子部材
４ａ  取付孔
５  窪み部
６、７  透孔
８  押しボタン（操作部材）
１０  一方向クラッチ機構
１１  レバージョイント
１３  ハンドル
１５  グリップ
１５ａ  段差部
１６  矩形孔（透孔）
３４  ドラム
３６  自動開放装置
３７  小型電動機（自動開放装置の電動機）
３７ａ  ロック機構
３８ａ  ワイヤー
４０  偏心カム（自動開放装置のカム）
４３  クランクレバー
ＬＳ２〜ＬＳ３  リミットスイッチ（自動開放装置のスイッチ手段）
【図１】
0004128681.tif 000002
【図２】
0004128681.tif 000003
【図３】
0004128681.tif 000004
【図４】
0004128681.tif 000005
【図５】
0004128681.tif 000006
【図６】
0004128681.tif 000007
【図７】
0004128681.tif 000008
【図８】
0004128681.tif 000009
【図９】
0004128681.tif 000010
【図１０】
0004128681.tif 000011
【図１１】
0004128681.tif 000012
【図１２】
0004128681.tif 000013
【図１３】
0004128681.tif 000014